(57)【特許請求の範囲】
【請求項１】
被検者に対して放射線を用いた撮影を行う放射線撮影システムであって、
複数の撮影方法を予め格納する撮影方法格納手段と、
検査の対象となる被検者の被検者情報の入力を行う被検者情報入力手段と、
前記被検者情報の撮影履歴に基づいて、前記撮影方法格納手段から撮影方法を抽出する抽出手段と、
複数の撮影方法を一覧表示する第一の領域と、前記抽出手段により抽出された前記被検者情報の撮影履歴に基づく撮影方法を一覧表示する第二の領域とを同一画面に表示する表示手段と、
前記表示手段によって表示された前記第一の領域または前記第二の領域から撮影方法を指定することにより、当該指定された撮影方法を登録する登録手段と
を有することを特徴とする放射線撮影システム。
【請求項２】
被検者に対して放射線を用いた撮影を行う放射線撮影システムであって、
複数の撮影方法を予め格納する撮影方法格納手段と、
検査の対象となる被検者の被検者情報の入力を行う被検者情報入力手段と、
前記被検者情報の撮影履歴に基づいて、前記撮影方法格納手段から撮影方法を抽出する抽出手段と、
複数の撮影方法に関するボタンを一覧表示する第一の領域と、前記抽出手段により抽出された前記被検者情報の撮影履歴に基づく撮影方法に関するボタンを一覧表示する第二の領域とを同一画面に表示する表示手段と、
前記表示手段によって表示された前記第一の領域または前記第二の領域におけるボタンを指定することにより、当該指定されたボタンに基づく撮影方法を登録する登録手段と
を有することを特徴とする放射線撮影システム。
【請求項３】
前記登録手段で登録された撮影方法を表示する撮影方法表示手段と、
前記被検者情報と前記登録手段で登録された撮影方法により前記検査を生成する検査生成手段と、
前記検査に基づいて、前記被検者に放射線を用いた撮影を行う制御をする撮影制御手段と、
前記撮影により得られた放射線画像を表示する画像表示手段と、
前記放射線画像に係る撮影画像を前記被検者情報と関連付けて格納する撮影画像格納手段と
を更に有することを特徴とする請求項１または２に記載の放射線撮影システム。
【請求項４】
前記抽出手段は、前記被検者情報の撮影履歴に基づいて、前記撮影画像格納手段に格納された撮影画像の中から前記被検者と同一被検者の撮影画像を検索し、当該撮影画像の撮影方法を抽出することを特徴とする請求項３に記載の放射線撮影システム。
【請求項５】
前記撮影制御手段は、当該撮影画像の撮影に使用された放射線検出器を用いて前記撮影の制御を行うことを特徴とする請求項４に記載の放射線撮影システム。
【請求項６】
前記撮影制御手段は、当該撮影画像の撮影に用いられた撮影条件を用いて前記撮影の制御を行うことを特徴とする請求項４に記載の放射線撮影システム。
【請求項７】
前記画像表示手段は、当該撮影画像に用いられた画像処理条件を用いて画像処理を施した放射線画像を表示することを特徴とする請求項４に記載の放射線撮影システム。
【請求項８】
前記撮影方法には、前記撮影に使用する放射線検出器に係る情報が定められており、
前記撮影制御手段は、前記撮影方法における前記放射線検出器を用いて前記撮影の制御を行うことを特徴とする請求項３に記載の放射線撮影システム。
【請求項９】
前記撮影方法には、当該撮影方法で用いる撮影条件に係る情報が定められており、
前記撮影制御手段は、当該撮影方法における前記撮影条件を用いて前記撮影の制御を行うことを特徴とする請求項３に記載の放射線撮影システム。
【請求項１０】
前記撮影方法には、画像処理条件に係る情報が定められており、
前記画像表示手段は、当該撮影方法における前記画像処理条件を用いて画像処理を施した放射線画像を表示することを特徴とする請求項３に記載の放射線撮影システム。
【請求項１１】
前記検査生成手段は、前記被検者情報と当該被検者情報に係る被検者に対して実施する撮影の内容を定めた撮影情報とを含む検査情報を取得し、当該取得した検査情報によって前記検査を生成し、
前記表示手段は、前記検査生成手段により生成された検査に含まれる撮影方法を、表示の対象から除外することを特徴とする請求項３に記載の放射線撮影システム。
【請求項１２】
前記表示手段は、前記登録手段により既に登録されている撮影方法を、表示の対象から除外することを特徴とする請求項１または２に記載の放射線撮影システム。
【請求項１３】
被検者に対して放射線を用いた撮影を行う放射線撮影システムであって、
複数の撮影方法を予め格納する撮影方法格納手段と、
検査の対象となる被検者の被検者情報の入力を行う被検者情報入力手段と、
前記被検者情報の撮影履歴に基づいて、前記撮影方法格納手段から撮影方法を抽出する抽出手段と、
前記抽出手段により抽出された撮影方法を一覧表示する表示手段と、
前記表示手段によって一覧表示された撮影方法から１つの撮影方法を指定することにより、当該指定された撮影方法を登録する登録手段と、
前記被検者に放射線を用いた撮影を行う制御をする撮影制御手段と
を有し、
前記撮影方法には、前記撮影に使用する放射線検出器に係る情報が定められており、
前記撮影制御手段は、前記撮影方法における前記放射線検出器を用いて前記撮影の制御を行うことを特徴とする放射線撮影システム。
【請求項１４】
被検者に対して放射線を用いた撮影を行う放射線撮影システムの制御方法であって、
複数の撮影方法を予め撮影方法格納手段に格納する撮影方法格納ステップと、
検査の対象となる被検者の被検者情報の入力を行う被検者情報入力ステップと、
前記被検者情報の撮影履歴に基づいて、前記撮影方法格納手段から撮影方法を抽出する抽出ステップと、
複数の撮影方法を一覧表示する第一の領域と、前記抽出ステップにより抽出された前記被検者情報の撮影履歴に基づく撮影方法を一覧表示する第二の領域とを同一画面に表示する表示ステップと、
前記表示ステップによって表示された前記第一の領域または前記第二の領域から撮影方法を指定することにより、当該指定された撮影方法を登録する登録ステップと
を有することを特徴とする放射線撮影システムの制御方法。
【請求項１５】
被検者に対して放射線を用いた撮影を行う放射線撮影システムの制御方法であって、
複数の撮影方法を予め撮影方法格納手段に格納する撮影方法格納ステップと、
検査の対象となる被検者の被検者情報の入力を行う被検者情報入力ステップと、
前記被検者情報の撮影履歴に基づいて、前記撮影方法格納手段から撮影方法を抽出する抽出ステップと、
複数の撮影方法に関するボタンを一覧表示する第一の領域と、前記抽出ステップにより抽出された前記被検者情報の撮影履歴に基づく撮影方法に関するボタンを一覧表示する第二の領域とを同一画面に表示する表示ステップと、
前記表示ステップによって表示された前記第一の領域または前記第二の領域におけるボタンを指定することにより、当該指定されたボタンに基づく撮影方法を登録する登録ステップと
を有することを特徴とする放射線撮影システムの制御方法。
【請求項１６】
被検者に対して放射線を用いた撮影を行う放射線撮影システムの制御方法であって、
複数の撮影方法を予め撮影方法格納手段に格納する撮影方法格納ステップと、
検査の対象となる被検者の被検者情報の入力を行う被検者情報入力ステップと、
前記被検者情報の撮影履歴に基づいて、前記撮影方法格納手段から撮影方法を抽出する抽出ステップと、
前記抽出ステップにより抽出された撮影方法を一覧表示する表示ステップと、
前記表示ステップによって一覧表示された撮影方法から１つの撮影方法を指定することにより、当該指定された撮影方法を登録する登録ステップと、
前記被検者に放射線を用いた撮影を行う制御をする撮影制御ステップと
を有し、
前記撮影方法には、前記撮影に使用する放射線検出器に係る情報が定められており、
前記撮影制御ステップでは、前記撮影方法における前記放射線検出器を用いて前記撮影の制御を行うことを特徴とする放射線撮影システムの制御方法。
【請求項１７】
請求項１４乃至１６のいずれか１項に記載の放射線撮影システムの制御方法における各ステップをコンピュータに実行させるためのプログラム。
【発明の詳細な説明】
【技術分野】
【０００１】
本発明は、被検者に対して放射線を用いた撮影を行う放射線撮影システム及びその制御方法、並びに、当該制御方法をコンピュータに実行させるためのプログラムに関する。
【背景技術】
【０００２】
従来、対象物に放射線（例えば、Ｘ線）を照射し、当該対象物を透過した放射線の強度分布を検出して対象物の放射線画像を撮影する放射線撮影装置が知られている。このような装置は、医療分野・産業分野等で主に利用されている。近年では、被写体を透過した放射線を電気信号に変換し、放射線画像をデジタルデータとして取得する技術も広く採用されている。
【０００３】
例えば、医療分野においては、放射線を用いた検査が日常的に行なわれている。放射線を用いた検査（放射線検査）に際しては、一般に、各診療科の医師によって撮影部位や撮影方法が記載された検査依頼書が作成される。そして、撮影技師は、当該検査依頼書に従って放射線検査を実施する。また、各種の医療装置が接続された院内ネットワークが構築されている病院もある。このようなネットワーク環境が構築されている場合、放射線撮影システムは、病院情報システム（ＨＩＳ）、放射線情報システム（ＲＩＳ）、画像サーバ（ＰＡＣＳ）等と連携して撮影を行う。
【０００４】
院内ネットワークが構築された病院においては、検査依頼書を発行する代わりに、ＨＩＳから検査依頼を発行する。この場合、放射線科では、ＲＩＳにおいて、ＨＩＳからの検査依頼を受け取り、放射線撮影システムにおいて、当該検査依頼に応じた放射線検査を実施する。
【０００５】
そして、放射線検査が終了すると、放射線撮影システムは、ＨＩＳやＲＩＳに対して検査が終了した旨を通知するとともに、撮影画像及び検査情報をＰＡＣＳやプリンタ等に出力する。また、撮影画像及び検査情報を表示装置に表示する場合もある。
【０００６】
これに関連して、下記の特許文献１では、検査依頼書に記載された撮影方法を検査へ登録するために、予め登録してある撮影方法の一覧を画面表示し、例えば人体モデルからの撮影部位の指定で該当する撮影方法を抽出する方法が提案されている。
【先行技術文献】
【特許文献】
【０００７】
【特許文献１】特開２００７−２７５１１７号公報
【発明の概要】
【発明が解決しようとする課題】
【０００８】
撮影部位、撮影方向、撮影手技、撮影に使用する放射線検出器等の違いにより、撮影条件や画像処理条件が異なるため、放射線撮影システムには、予め大量の撮影方法が登録されている。そのため、検査依頼書に記載の撮影方法を全一覧から探索する操作は、大変手間のかかる作業である。このような場合に、特許文献１に提案されている人体モデルからの撮影部位の指定による撮影方法の抽出方法は大変有効である。
【０００９】
例えば、患者の治療の経過を観察する目的での検査では、以前に撮影した検査の画像との比較を行う。このとき、新たに撮影する画像は、比較対象の撮影画像と、撮影条件、放射線検出器、画像処理条件など、同条件で撮影することで経過観察により適した画像となるため、撮影方法は限定される。
【００１０】
また、施設によっては、午前中は健康診断の検査、午後は診察目的の検査のように放射線撮影システムを使い分ける場合があり、目的の違いから検査の内容が異なってくるため、時間帯によって撮影方法の使用頻度分布に傾向が現れる。
【００１１】
本発明は、このような問題点に鑑みてなされたものであり、撮影方法の登録作業を容易にすることができる仕組みを提供することを目的とする。
【課題を解決するための手段】
【００１２】
本発明の放射線撮影システムは、被検者に対して放射線を用いた撮影を行う放射線撮影システムであって、複数の撮影方法を予め格納する撮影方法格納手段と、検査の対象となる被検者の被検者情報の入力を行う被検者情報入力手段と、前記被検者情報の撮影履歴に基づいて、前記撮影方法格納手段から撮影方法を抽出する抽出手段と、複数の撮影方法を一覧表示する第一の領域と、前記抽出手段により抽出された前記被検者情報の撮影履歴に基づく撮影方法を一覧表示する第二の領域とを同一画面に表示する表示手段と、前記表示手段によって表示された前記第一の領域または前記第二の領域から撮影方法を指定することにより、当該指定された撮影方法を登録する登録手段とを有する。
本発明の放射線撮影システムにおける他の態様は、被検者に対して放射線を用いた撮影を行う放射線撮影システムであって、複数の撮影方法を予め格納する撮影方法格納手段と、検査の対象となる被検者の被検者情報の入力を行う被検者情報入力手段と、前記被検者情報の撮影履歴に基づいて、前記撮影方法格納手段から撮影方法を抽出する抽出手段と、複数の撮影方法に関するボタンを一覧表示する第一の領域と、前記抽出手段により抽出された前記被検者情報の撮影履歴に基づく撮影方法に関するボタンを一覧表示する第二の領域とを同一画面に表示する表示手段と、前記表示手段によって表示された前記第一の領域または前記第二の領域におけるボタンを指定することにより、当該指定されたボタンに基づく撮影方法を登録する登録手段とを有する。
また、本発明の放射線撮影システムにおけるその他の態様は、被検者に対して放射線を用いた撮影を行う放射線撮影システムであって、複数の撮影方法を予め格納する撮影方法格納手段と、検査の対象となる被検者の被検者情報の入力を行う被検者情報入力手段と、前記被検者情報の撮影履歴に基づいて、前記撮影方法格納手段から撮影方法を抽出する抽出手段と、前記抽出手段により抽出された撮影方法を一覧表示する表示手段と、前記表示手段によって一覧表示された撮影方法から１つの撮影方法を指定することにより、当該指定された撮影方法を登録する登録手段と、前記被検者に放射線を用いた撮影を行う制御をする撮影制御手段とを有し、前記撮影方法には、前記撮影に使用する放射線検出器に係る情報が定められており、前記撮影制御手段は、前記撮影方法における前記放射線検出器を用いて前記撮影の制御を行う。
また、本発明は、上述した放射線撮影システムの制御方法、及び、当該制御方法をコンピュータに実行させるためのプログラムを含む。
【００１３】
本発明者らは、複数の撮影方法と、被検者情報の撮影履歴に基づく撮影方法とを同一画面に表示することで、撮影方法の登録を簡易化できると考えた。
【発明の効果】
【００１４】
本発明によれば、撮影方法の登録に際して、実施する検査に対して適切な撮影方法を提示することができる。これによって、オペレータの撮影方法の登録作業が容易になる。
【図面の簡単な説明】
【００１５】
【図１】本発明の第１の実施形態に係る放射線撮影システム（Ｘ線撮影システム）の概略構成の一例を示す模式図である。
【図２】本発明の第１の実施形態を示し、検査入力画面の一例を示す模式図である。
【図３】本発明の第１の実施形態を示し、撮影画面の一例を示す模式図である。
【図４】本発明の第１の実施形態を示し、図１に示す撮影制御装置制御部における機能的な構成の一例を示すブロック図である。
【図５】図４に示す格納部におけるテーブル構成の一例を示す模式図である。
【図６】本発明の第１の実施形態を示し、表示画面の一例を示す模式図である。
【図７】本発明の第１の実施形態に係る放射線撮影システム（Ｘ線撮影システム）における制御方法の処理手順の一例を示すフローチャートである。
【図８】本発明の第２の実施形態を示し、表示画面の一例を示す模式図である。
【発明を実施するための形態】
【００１６】
以下に、図面を参照しながら、本発明を実施するための形態（実施形態）について説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１７】
（第１の実施形態）
図１は、本発明の第１の実施形態に係る放射線撮影システム（以下、「Ｘ線撮影システム」と称する）の概略構成の一例を示す模式図である。
【００１８】
図１に示すＸ線撮影システムは、検査の内容に従って、患者（被写体）に対してＸ線（放射線）を用いた撮影を行う。このＸ線撮影システムでは、Ｘ線撮影制御装置１と、ＨＩＳ（院内情報システム）１１と、ＲＩＳ（放射線部門内情報システム）１２と、ＰＡＣＳ（画像サーバ）１３と、プリンタ１４とが接続されている。そして、これらの各装置間は、例えば、ＬＡＮ（Local Area Network）やＷＡＮ（Wide Area Network）等で構成される通信手段１５を介して接続されている。
【００１９】
なお、これらの各装置には、１又は複数のコンピュータが含まれる。コンピュータには、例えば、ＣＰＵ等の主制御手段、ＲＯＭ（Read Only Memory）、ＲＡＭ（Random Access Memory）等の記憶手段が具備される。また、コンピュータには、ネットワークカード等の通信手段、キーボード、ディスプレイ又はタッチパネル等の入出力手段等が具備されていてもよい。これら各構成手段は、バス等により接続され、主制御手段が記憶手段に記憶されたプログラムを実行することで制御される。
【００２０】
ここで、Ｘ線撮影制御装置（放射線撮影制御装置）１は、撮影制御装置表示部２と、撮影制御装置操作部３と、Ｘ線発生装置制御部４と、撮影制御装置制御部５とを具備して構成されている。
【００２１】
Ｘ線発生装置制御部（放射線発生装置制御部）４は、ケーブル９を介してＸ線発生装置（放射線発生装置）８ａ，８ｂに接続されており、当該Ｘ線発生装置８ａ，８ｂからのＸ線（放射線）の照射を制御する。ここで、Ｘ線発生装置８ａ，８ｂは、放射線発生手段として機能する。Ｘ線発生装置８ａ，８ｂは、例えば、Ｘ線管球により実現され、被写体（例えば、患者の特定部位）に向けてＸ線を照射する。
【００２２】
撮影制御装置制御部５は、Ｘ線撮影制御装置１における処理を統括的に制御する。
撮影制御装置表示部２は、例えば、液晶ディスプレイ等で実現され、各種情報をオペレータ（撮影技師、医師）に向けて表示する。
撮影制御装置操作部３は、例えば、マウスや操作ボタン等で実現され、オペレータからの各種指示をＸ線撮影制御装置１内に入力する。なお、撮影制御装置表示部２及び撮影制御装置操作部３は、それらが一体となったタッチパネルで実現されてもよい。
【００２３】
また、Ｘ線撮影制御装置１は、ケーブル１０を介してＸ線検出部（放射線検出器）７ａ，７ｂに接続されており、当該ケーブル１０により両者の間では、電源、画像信号や制御信号等が授受される。Ｘ線検出部７ａ，７ｂは、被写体を透過したＸ線を検出し、当該被写体に基づくＸ線画像（放射線画像）を取得する検出手段として機能する。即ち、Ｘ線発生装置８ａ，８ｂ及びＸ線検出部７ａ，７ｂが連携して動作することにより、Ｘ線撮影手段が実現される。なお、Ｘ線検出部７ａ，７ｂは、それぞれ、立位の撮影台６ａ及び臥位の撮影台６ｂに設置されている。
【００２４】
以上がＸ線撮影システムの構成の一例についての説明である。なお、図１に示す構成は、あくまで一例であり、適宜変更可能である。例えば、図１では、Ｘ線撮影制御装置１に対して通信手段１５を介して各種の装置が接続されているが、必ずしもＸ線撮影制御装置１は、このような装置と接続されている必要はない。
【００２５】
ここで、図１に示すＸ線撮影システムにおいて、検査の流れに沿ってＸ線画像を撮影する際の処理の流れについて説明する。
【００２６】
まず、検査依頼書又はＲＩＳ１２からの検査依頼により、Ｘ線撮影制御装置１（撮影制御装置操作部３）に対して、患者情報及び検査情報を入力する。ここで、患者情報としては、患者名、患者ＩＤなどを含み、検査情報としては、患者に対して実施する撮影の内容を規定した撮影情報を含む。
【００２７】
図２は、本発明の第１の実施形態を示し、検査入力画面の一例を示す模式図である。
Ｘ線撮影制御装置１は、撮影制御装置表示部２において、図２に示す検査入力画面を表示する。検査入力画面は、図２（ａ）のように、患者情報入力領域１０１と、患者情報確定ボタン１０２と、依頼検査リスト１０３と、患者情報表示領域１０４と、撮影情報表示領域１０５と、撮影情報入力ボタン１０６と、検査開始ボタン１０７とを含んで構成される。患者情報入力領域１０１は、検査の対象となる患者の患者情報の入力を行う患者情報入力手段を構成する。
【００２８】
検査依頼書による検査を実施する場合、オペレータ（撮影技師）は、患者情報入力領域１０１に検査依頼書に記載の患者情報を入力して患者情報確定ボタン１０２を押下し、患者情報を入力する。すると、患者情報表示領域１０４には、当該入力された患者に対応する患者情報（患者名、患者ＩＤ、生年月日等）が表示される。
【００２９】
また、図２（ｂ）に示すように、撮影情報入力領域１０８が表示され、撮影情報表示領域１０５には、検査ＩＤが表示される。オペレータは、検査依頼書に記載の撮影方法を撮影情報入力領域１０８に表示された撮影方法一覧より探し、当該撮影方法登録ボタン１１４を押下することで撮影情報表示領域１０５に登録する。
【００３０】
ＲＩＳ１２からの検査依頼による検査を実施する場合、依頼検査リスト１０３の中からいずれかの検査を選択する。すると、図２（ｃ）に示すように、患者情報表示領域１０４には、当該選択された患者に対応する患者情報（患者名、患者ＩＤ、生年月日等）が表示される。また、撮影情報表示領域１０５には、検査ＩＤが表示され、その直ぐ下の領域には、当該検査ＩＤに対応する撮影情報が表示される。撮影情報は、上述した通り、ＲＩＳ１２から受信する。図２の場合、撮影情報に対応した撮影方法ボタン（胸部正面ボタン（センサＡ）１０９ａ、胸部側面ボタン（センサＡ）１０９ｂ）が配されている。撮影情報入力ボタン１０６の押下に伴って、図２（ｂ）に示すように撮影情報入力領域１０８を表示し、さらに撮影方法を追加することもできる。
【００３１】
オペレータは、患者情報及び撮影情報を確認した後、検査開始ボタン１０７を押下する。これにより、実施する検査が確定する。
【００３２】
図３は、本発明の第１の実施形態を示し、撮影画面の一例を示す模式図である。
検査開始ボタン１０７の押下に伴って、Ｘ線撮影制御装置１は、撮影制御装置表示部２において、図３に示す撮影画面を表示する。図３に示す撮影画面は、撮影時に用いられる画面である。
【００３３】
図３に示す撮影画面は、基本的には、図２で説明した検査入力画面と同様の表示領域を有して構成される。新たに追加される表示領域としては、図３に示すように、画像表示領域１１０と、メッセージ領域１１１と、画像処理設定領域１１２と、検査終了ボタン１１３とが挙げられる。画像表示領域１１０は、撮影により得られたＸ線画像（放射線画像）を表示する画像表示手段を構成する。
【００３４】
図３に示す撮影画面が表示されると、撮影情報表示領域１０５内で最も上部に配された撮影方法ボタン１０９ａがデフォルトで選択状態になっている。これに伴って、Ｘ線撮影制御装置１は、撮影制御装置制御部５において、当該撮影方法ボタン（撮影方法）に対応して設定された撮影条件（管電圧、管電流、照射時間等）をＸ線発生装置制御部４に向けて送信する。すると、撮影制御装置制御部５は、当該撮影条件に従ってＸ線検出部７ａ，７ｂを制御して撮影の準備を整える。撮影の準備が整うと、Ｘ線撮影制御装置１は、撮影可能状態へ遷移する。このとき、メッセージ領域１１１には、撮影可能状態であることを示す「Ｒｅａｄｙ」メッセージが表示される。
【００３５】
続いて、オペレータは、撮影方法を確認し、撮影のセッティング及び患者のポジショニングを行う。一連の撮影準備が完了すると、オペレータは、メッセージ領域１１１を参照して撮影可能状態であることを確認した後、Ｘ線照射スイッチ（不図示）を押下する。すると、Ｘ線撮影制御装置１は、Ｘ線発生装置８ａ，８ｂにおいて、被写体（患者の特定部位）に向けてＸ線を照射させ、Ｘ線検出部７ａ，７ｂにおいて、当該被写体を透過したＸ線を検出させる。これにより、Ｘ線画像の撮影が行われる。
【００３６】
Ｘ線画像の撮影が済むと、Ｘ線撮影制御装置１は、撮影制御装置制御部５において、Ｘ線検出部７ａ，７ｂから撮影画像を取得するとともに、当該取得した撮影画像に対して所定の画像処理条件に基づいて画像処理を実施する。所定の画像処理条件は、撮影方法に対応して予め規定されている。
【００３７】
画像処理が終了すると、Ｘ線撮影制御装置１は、当該画像処理された撮影画像を画像表示領域１１０に表示する。オペレータは、例えば、当該撮影画像のコントラスト等を変更したい場合、画像処理設定領域１１２に設けられたコントラストや輝度等のボタンを操作する。これにより、オペレータは、当該画像表示領域１１０に表示された撮影画像に対して追加の画像処理を実施できる。なお、オペレータが、未撮影の撮影方法ボタン１０９を押下した場合には、当該画像の撮影条件、画像処理条件を保存し、次の撮影が始まる。
【００３８】
オペレータは、上述した手順を繰り返して撮影情報表示領域１０５内の全撮影方法の撮影を実施する。全ての撮影が終了すると、オペレータは、検査終了ボタン１１３を押下する。これにより、一連の検査が終了し、Ｘ線撮影制御装置１は、再度、図２に示す検査入力画面を表示する。このとき、Ｘ線撮影制御装置１は、撮影制御装置制御部５において、撮影画像や検査情報等を、例えば、ＰＡＣＳ１３、プリンタ１４、ＲＩＳ１２、自装置におけるＲＯＭ（不図示）等に出力する。なお、ＲＩＳ１２やＲＯＭ等においては、当該撮影画像と患者情報とを関連付けて格納する。
【００３９】
次に、図１に示す撮影制御装置制御部５の機能的な構成の一例について説明する。
図４は、本発明の第１の実施形態を示し、図１に示す撮影制御装置制御部５における機能的な構成の一例を示すブロック図である。
撮影制御装置制御部５は、画面表示を制御する構成として、取得部２１と、指示検出部２２と、抽出部２３と、表示制御部２４と、格納部２５と、撮影制御部２６とを具備して構成される。また、例えば撮影制御装置制御部５は、患者情報と撮影情報により検査を生成する検査生成手段を構成する。具体的に、例えば撮影制御装置制御部５は、患者情報と当該患者情報に係る患者に対して実施する撮影の内容を定めた撮影情報とを含む検査情報を取得し、当該取得した検査情報によって検査を生成する。
【００４０】
取得部２１は、検査情報や画面表示に必要となる情報を取得する。例えば、自装置におけるＲＯＭや、ＰＡＣＳ１３或いは格納部２５（撮影画像格納部２５２）等から撮影画像や当該画像に関連付けられた患者情報を取得する。なお、撮影画像は、当該撮影画像の患者情報と関連付けてＲＯＭやＰＡＣＳ１３或いは格納部２５（撮影画像格納部２５２）等に格納されている。また、取得部２１は、ＲＩＳ１２からの検査依頼に基づく検査情報を、例えば、ＲＯＭ等から取得する。
【００４１】
指示検出部２２は、オペレータによる入力操作に基づいて、表示中の画面に対する表示の切り替えの指示を検出する。具体的には、図２に示す検査入力画面が表示されている時に、オペレータが、マウス等を用いて患者情報確定ボタン１０２を操作した場合、指示検出部２２は、当該操作を検出し、患者情報が確定指示された旨を表示制御部２４及び抽出部２３に通知する。
【００４２】
格納部２５は、撮影方法格納部２５１と、撮影画像格納部２５２とを具備する。撮影方法格納部２５１は、予め登録されている１つ以上（又は複数）の撮影方法を格納する（撮影方法格納ステップ）。撮影画像格納部２５２は、実施済の検査に関する情報と撮影画像を格納する（撮影画像格納ステップ）。
【００４３】
図５は、図４に示す格納部２５におけるテーブル構成の一例を示す模式図である。
ここで、検査情報、画像情報、撮影方法情報は、それぞれ、図５（ａ）〜図５（ｃ）に示すようなテーブルとしてデータベースに保存される。具体的に、図５（ａ）に示す検査情報テーブルとしては、検査ＩＤ、患者ＩＤ、患者名、生年月日、性別、検査日時、画像ＩＤリストの各項目が定められている。また、図５（ｂ）に示す画像情報テーブルとしては、画像ＩＤ、撮影方法ＩＤ、撮影画像保存パス、実施撮影条件、実施画像処理条件の各項目が定められている。また、図５（ｃ）に示す撮影方法情報テーブルとしては、撮影方法ＩＤ、放射線検出器ＩＤ、撮影方法名称、撮影条件、画像処理条件、ＡＭ撮影回数、ＰＭ撮影回数、体格情報の各項目が定められている。
【００４４】
撮影制御部２６は、例えば、撮影方法情報テーブルにおける放射線検出器ＩＤに係る放射線検出器を用いて患者の放射線画像の撮影の制御を行う。また、撮影制御部２６は、例えば、撮影方法情報テーブルにおける撮影条件を用いて患者の放射線画像の撮影の制御を行う。また、図３の画像表示領域１１０には、例えば、撮影方法情報テーブルにおける画像処理条件を用いて画像処理を施した放射線画像が表示される。
【００４５】
抽出部２３は、検査の対象となる患者の患者情報が確定した場合に、患者情報及び検査情報に付帯する情報（付帯情報）を抽出条件として、条件に適合する撮影方法を格納部２５（撮影方法格納部２５１）の中から抽出する。なお、本実施形態においては、例えば、患者情報及び検査情報に付帯する情報は、患者を特定する情報（患者名、患者ＩＤ、生年月日等）である。なお、本発明においては、患者情報及び検査情報に付帯する情報は、患者を特定する情報に限らず、以下の形態にも適用可能である。
具体的に、抽出部２３は、例えば、患者情報に付帯する患者の体格に関する情報（図５（ｃ）に示す撮影方法情報テーブルの体格情報）を用いて、撮影方法格納部２５１から当該体格に適合した撮影方法を抽出することも適用可能である。また、抽出部２３は、例えば、検査情報に付帯する検査日情報（図５（ａ）に示す検査情報テーブルの検査日時）を用いて、撮影方法格納部２５１から検査日情報に係る日付帯において撮影頻度の高い撮影方法を抽出することも適用可能である。また、抽出部２３は、例えば、検査情報に付帯する依頼科情報を用いて、撮影方法格納部２５１から依頼科情報に係る依頼科に対して登録された撮影方法を抽出することも適用可能である。
【００４６】
表示制御部２４は、取得部２１により取得された検査情報や撮影画像等に基づいて表示画面（表示画像）を生成する。表示制御部２４には、抽出部２３により抽出した撮影方法を一覧表示する抽出結果表示制御部（不図示）が具備される。例えば、患者情報入力領域１０１に患者Ａの患者情報が入力され確定されたとする。この場合、抽出部２３においては、患者Ａの撮影画像を撮影画像格納部２５２から検索し、当該撮影画像の撮影方法を抽出結果として出力する。
図６は、本発明の第１の実施形態を示し、表示画面の一例を示す模式図である。
表示制御部２４においては、図６のように、撮影情報入力領域１０８に加えて、抽出部２３により抽出された撮影方法を一覧表示する一覧表示手段である撮影履歴１１５を表示し、抽出結果に基づいて撮影方法登録ボタン１１４を生成し表示する。そして、撮影制御装置制御部５（例えば表示制御部２４）は、撮影履歴１１５に一覧表示された撮影方法がオペレータに指定されることにより、当該指定された撮影方法を撮影情報として撮影情報表示領域１０５に登録する（登録手段）。
【００４７】
撮影制御部２６は、取得部２１により取得された検査情報に従って、Ｘ線撮影部（Ｘ線発生装置８、Ｘ線検出部７）を制御する。これにより、検査情報に基づいて、患者にＸ線を用いたＸ線画像の撮影における制御がなされる。
【００４８】
ここで、図７を用いて、図１に示すＸ線撮影システムにおいて、経過観察が目的の検査を実施する際の処理の流れについて説明する。
図７は、本発明の第１の実施形態に係る放射線撮影システム（Ｘ線撮影システム）における制御方法の処理手順の一例を示すフローチャートである。ここでは、オペレータが、検査入力画面において、実施対象（検査対象）の患者情報の入力を確定した後の処理について説明する。
【００４９】
まず、ステップＳ２０１において、撮影制御装置制御部５は、患者情報を確定し、抽出部２３において、過去に同一患者の撮影に使用した撮影方法を抽出する。具体的には、まず、検査情報テーブル（図５（ａ））により、確定した患者情報と同一患者の検査情報を抽出する。次に、抽出した検査情報に含まれる画像ＩＤと同一の画像情報を画像情報テーブル（図５（ｂ））により抽出する。
【００５０】
続いて、ステップＳ２０２において、撮影制御装置制御部５は、同一患者の撮影画像が存在するか否かを判断する。この判断の結果、同一患者の撮影画像が存在しない場合には（Ｓ２０２／ＮＯ）、図７のフローチャートの処理を終了する。
【００５１】
一方、ステップＳ２０２の判断の結果、同一患者の撮影画像が存在する（即ち、同一患者の撮影画像が抽出できた）場合には（Ｓ２０２／ＹＥＳ）、ステップＳ２０３に進む。
ステップＳ２０３に進むと、撮影制御装置制御部５（例えば抽出部２３）は、同一患者の画像の撮影方法を抽出する。具体的には、例えば抽出部２３は、抽出した撮影画像の画像情報の撮影方法ＩＤを、撮影方法情報テーブル（図５（ｃ））より抽出する。このとき、抽出した撮影方法情報における撮影条件及び画像処理条件を、当該画像情報の実施撮影条件及び実施画像処理条件に置き換え、表示制御部２４の抽出結果表示制御部（不図示）へ出力する。ここで、同一撮影方法の撮影画像が複数ある場合には、最新の画像情報の実施撮影条件及び実施画像処理条件に置き換えればよい。
【００５２】
続いて、ステップＳ２０４において、撮影制御装置制御部５（例えば表示制御部２４の抽出結果表示制御部（不図示））は、抽出結果に基づき、撮影方法登録ボタン１１４を生成し、画面表示を更新する。その後、図７のフローチャートの処理は終了する。
【００５３】
オペレータは、撮影情報入力領域１０８に生成し表示された撮影方法登録ボタン１１４を押下することで、撮影情報表示領域１０５に撮影方法を登録することができる。ここで、撮影情報表示領域１０５に既に追加（登録）された撮影方法登録ボタン１１４を、撮影情報入力領域１０８及び撮影履歴１１５から除外し、別の撮影方法登録ボタンを表示すると、同一撮影方法の重複登録防止、表示領域の有効活用などの効果がある。また、撮影履歴１１５は、生成された検査に含まれる撮影方法を、一覧表示の対象から除外する。
【００５４】
検査開始すると、Ｘ線撮影制御装置１は、撮影制御装置制御部５において、当該撮影方法の実施撮影条件をＸ線発生装置制御部４に向けて送信する。そして、撮影制御装置制御部５は、撮影が済むと、撮影画像を取得するとともに、当該取得した撮影画像に対して当該撮影方法の実施画像処理条件に基づいて画像処理を実施する。
【００５５】
以上、説明したように第１の実施形態によれば、検査入力画面において、当該患者に対して撮影を実施した事がある撮影方法が抽出され、撮影方法登録ボタン１１４が表示されるため、容易に撮影方法の登録を行うことができる。また、撮影画像の撮影条件及び画像処理条件に実施情報が用いられるため、比較対象の画像と同条件での撮影を行うことができ、経過観察に適した画像を得ることができる。
【００５６】
（第２の実施形態）
次に、本発明の第２の実施形態について説明する。
第１の実施形態においては、経過観察目的の検査において、患者を特定する情報を用いて撮影方法を抽出する場合について説明した。これに対して、第２の実施形態においては、時間帯により運用形態が変わる施設において、検査時刻情報を用いて撮影方法を抽出する場合について説明する。
【００５７】
ここで、図３に示す撮影画面が表示され、先頭の撮影方法ボタン１０９ａによる撮影方法で撮影がされたとする。すると、撮影制御装置制御部５は、撮影時刻に応じて、撮影方法情報テーブル（図５（ｃ））の当該撮影方法レコードにおける時間帯別撮影回数（図５（ｃ）の例では、ＡＭ撮影回数、ＰＭ撮影回数）のカウントを更新する。
【００５８】
図２に示す検査入力画面で患者情報が確定すると、撮影制御装置制御部５は、抽出部２３において、検査情報における検査時刻情報に基づいて、当該時間帯での撮影回数カウント（撮影頻度）が大きい撮影方法を撮影方法情報テーブル（図５（ｃ））より抽出する。
図８は、本発明の第２の実施形態を示し、表示画面の一例を示す模式図である。
表示制御部２４の抽出結果表示制御部（不図示）は、抽出結果を受け、図８のように、撮影情報入力領域１０８に加えて、抽出部２３により抽出された撮影方法を一覧表示する一覧表示手段である時間帯別撮影方法一覧１１６を表示する。そして、撮影方法登録ボタン１１４を生成し、画面表示を更新する。
【００５９】
なお、第２の実施形態においては、時刻帯をＡＭ、ＰＭと定義した場合を説明したが、時刻帯の定義はこれに制限されない。さらに、曜日、月、季節などの定義であっても同様の処理を行える。
【００６０】
以上、説明したように第２の実施形態によれば、検査時刻帯で使用頻度の高い撮影方法が抽出され、撮影方法登録ボタン１１４が表示されるため、容易に撮影方法の登録を行うことができる。
【００６１】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【符号の説明】
【００６２】
２  撮影制御装置表示部、３  撮影制御装置操作部、５  撮影制御装置制御部、２１  取得部、２２  指示検出部、２３  抽出部、２４  表示制御部、２５  格納部、２５１  撮影方法格納部、２５２  撮影画像格納部、２６  撮影制御部
【図１】
0005738000.tif 000002
【図２】
0005738000.tif 000003
【図３】
0005738000.tif 000004
【図４】
0005738000.tif 000005
【図５】
0005738000.tif 000006
【図６】
0005738000.tif 000007
【図７】
0005738000.tif 000008
【図８】
0005738000.tif 000009